(57)【特許請求の範囲】
【請求項１】
植物の培地を形成する栽培槽と、該栽培槽を一方向に連ねて地面より高位置に設置する架台とで成る高設栽培装置の排水設備において、前記栽培槽（１）から排出される余剰の水分や栽培養液が滴下する位置に沿って、その水分や栽培養液を受け止めて片端の上流側から他端の下流側へと流下させる傾斜した排水樋（３）が設置され、該排水樋（３）が、樋受（８）により各々長さ方向に伸縮自在に支持された複数の樋ユニット（７）を連ねて形成されると共に、それら樋ユニット（７）が、上流側の樋ユニット（７）をこれと隣接する下流側の樋ユニット（７）の上に一部重ね合わせ、その上流側の樋ユニット（７）を下流側の樋ユニット（７）の端部に設けた水止め用の樋エンド（１１）で受け止めて、両樋ユニット（７、７）間に隙間を生じさせた状態で樋受（８）に支持されていることを特徴とする高設栽培装置の排水設備。
【請求項２】
前記樋ユニット（７）が、半丸樋（１２）を樋継手（１３）で二本継ぎ合わせて成る請求項１記載の排水設備。
【請求項３】
前記樋受（８）が、前記樋継手（１３）を固定して支持し、これより細めの前記半丸樋（１２）を長さ方向にスライド自在に支持する形状及び大きさに成形されている請求項２記載の排水設備。
【請求項４】
前記樋エンド（１１）が、前記樋ユニット（７）を形成する半丸樋の端部に嵌着される円弧形キャップで成る請求項１、２又は３記載の排水設備。
【発明の詳細な説明】
【０００１】
【発明の属する技術分野】
本発明は、地面より高位置に設置した栽培槽でイチゴなどの植物を栽培する高設栽培装置の排水設備に関する。
【０００２】
【従来の技術】
例えばイチゴの高設栽培装置は、イチゴの苗を植え付けるための培地を形成する栽培槽と、該栽培槽を一方向に連ねて地面より高位置に設置する架台とで形成されている。
【０００３】栽培槽は、少なくとも数ｍ〜十数ｍ以上、長いものは３０〜４０ｍも連ねて設置され、その栽培槽の培地の上に沿って、一定の間隔で設けた点滴孔から培地に水分や栽培養液を供給する給液チューブが配設されるのが一般的である。
【０００４】また、栽培槽は、培地を透過した余剰の水分や栽培養液を底部に溜め置くタイプのものもあるが、その量が増えると根腐れなどを生ずるおそれがあるため、本出願人らは、栽培槽から余剰の水分や栽培養液を排出させ、それを栽培槽の下方に沿って配設した排水樋に滴下させて回収する排水設備を設けることとした（特開２０００−３４２０５７号公報参照）。
【０００５】
【発明が解決しようとする課題】
しかしながら、本出願人が、硬質プラスチックで成形した長さ３０００ｍｍ程度の半丸樋を樋継手で継ぎ合わせて、栽培槽の設置長さに相当する長大な排水樋を試作し、これを架台に取り付けた樋受で固定支持したところ、その排水樋が、気温の高い夏期に熱膨張により伸長して全体的に曲がりや捻じれを生ずるように変形し、それによって栽培槽から排出される余剰の水分や栽培養液を受け止めることができなくなったり、受け止めた水分や栽培養液が捻じれた部分から零れ落ちるなどして回収不能になるという不具合を生じた。
【０００６】そこで本発明は、排水樋の熱膨張による変形を防止して、栽培槽から排出される余剰の水分や栽培養液を確実に回収できるようにすることを技術的課題としている。
【０００７】
【課題を解決するための手段】
上記の課題を解決するために、本発明は、植物の培地を形成する栽培槽と、該栽培槽を一方向に連ねて地面より高位置に設置する架台とで成る高設栽培装置の排水設備において、前記栽培槽から排出される余剰の水分や栽培養液が滴下する位置に沿って、その水分や栽培養液を受け止めて片端の上流側から他端の下流側へと流下させる傾斜した排水樋が設置され、該排水樋が、樋受により各々長さ方向に伸縮自在に支持された複数の樋ユニットを連ねて形成されると共に、それら樋ユニットが、上流側の樋ユニットをこれと隣接する下流側の樋ユニットの上に一部重ね合わせ、その上流側の樋ユニットを下流側の樋ユニットの端部に設けた水止め用の樋エンドで受け止めて、両樋ユニット間に隙間を生じさせた状態で樋受に支持されていることを特徴とする。
【０００８】
本発明によれば、排水樋を形成する樋ユニットが、熱膨張により伸長すると、互いに重なり合う上流側の樋ユニットと下流側の樋ユニットが、その重なり合う部分で相対する長さ方向に円滑にスライドして熱膨張が吸収され、排水樋が全体的に曲がったり捻じれるように変形することが防止されると共に、上流側の樋ユニットを重ね合わせる下流側の樋ユニットの端部に設けられた水止め用の樋エンドにより、排水樋を流れる水が逆流して漏れ落ちることも防止される。
【０００９】
【発明の実施の形態】
以下、本発明の実施形態を図面によって具体的に説明する。
図１は本発明に係る排水設備の一例を示す斜視図、図２は上流側の樋ユニットと下流側の樋ユニットとの重ね合わせ部分を拡大して示す斜視図、図３は樋ユニットを形成する半丸樋を樋継手で二本継ぎ合わせた部分を拡大して示す斜視図である。
【００１０】本例の排水設備は、高設栽培装置の架台２に設置した栽培槽１から排出される余剰の水分や栽培養液が滴下する位置に沿って、その水分や栽培養液を受け止めて片端の上流側から他端の下流側へと流下させる傾斜した排水樋３が設置されている。
【００１１】架台２は、長さ１５００ｍｍの栽培槽１を一方向に連ねるように継ぎ合わせる桁材４と、該桁材４を地面から一定の高さに支持する支柱５とで形成され、桁材４は、栽培槽１から排出される余剰の水分や栽培養液を集水孔６に集めてその集水孔６から排水樋３に落とし込む桝樋形状に成形されている。
【００１２】排水樋３は、複数の樋ユニット７、７…を連ねて形成され、これら樋ユニット７、７…は、架台２の支柱５に取り付けた樋受８により各々長さ方向に伸縮自在に支持されると同時に、上流側の樋ユニット７をこれと隣接する下流側の樋ユニット７の上に一部重ね合わせて、その重なり合う下流側の樋ユニット７の内面９と上流側の樋ユニット７の外面１０との間に隙間を生じさせた状態で樋受８に支持されている。
【００１３】また、上流側の樋ユニット７を重ね合わせる下流側の樋ユニット７の端部には、排水樋３を流れる水が逆流して漏れ落ちることを防止する水止め用の樋エンド１１が設けられている。
【００１４】樋ユニット７は、硬質プラスチックもしくは金属で成形された長さ３０５０ｍｍの半丸樋１２を樋継手１３で二本継ぎ合わせて全長６１００ｍｍに形成され、各々その中間部分と、中間部分から前後方向に１５００ｍｍの距離に位置する部分の計三箇所が、架台２の支柱５に取り付けた樋受８に支持されて、隣接する上流側の樋ユニット７と下流側の樋ユニット７とが、互いに約１００ｍｍ程度重なり合うようになっている。
【００１５】樋受８は、樋ユニット７の中間部分を成す樋継手１３を摺り動かないように固定して支持し、該樋継手１３で継ぎ合わされるそれより細めの半丸樋１２を長さ方向にスライド自在に支持する形状及び大きさに成形されると共に、該樋受８を架台２の支柱５に対して高さ調節可能に固定する止めネジ１４が設けられている。
【００１６】また、樋エンド１１は、下流側の樋ユニット７の上に重ね合わせる上流側の樋ユニット７を受け止めて、両樋ユニット７、７間に３〜１０ｍｍ程度の隙間を生じさせる形状及び大きさに成形され、具体例としては、図２の如く、樋ユニット７の半丸樋１２の端部に嵌着されるプラスチック製もしくは金属製の円弧形キャップで形成されている。
【００１７】なお、架台２の桁材４は、栽培槽１を二列平行に設置できるように栽培槽１の継ぎ合わせ個所を上方から嵌め込んで保持固定する左右一対の切欠部１５、１５が形成されている。
【００１８】しかして、栽培槽１から排出される余剰の水分や栽培養液は、その栽培槽１を設置する架台２の桁材４に設けた集水孔６から排水樋３に落とし込まれて、該排水樋３の上流側から下流側へと流下し、その下流端に設置した例えばドレン配管１６や、タンク、バケツなどに自動的に回収されることとなる。
【００１９】そして、排水樋３を形成する樋ユニット７、７…は、その中間部を成す樋継手１３の部分が、図３の如く樋受８により定位置に固定して支持され、その樋継手１３で継ぎ合わされた前後二本の半丸樋１２、１２が夫々樋受８によって長さ方向にスライド自在に支持されることにより、各々長さ方向に伸縮自在に支持されると共に、上流側の樋ユニット７がこれと隣接する下流側の樋ユニット７の上に一部重ね合わされて、両樋ユニット７、７がその重なり合う部分で相対する長さ方向にスライド可能になっているので、各樋ユニット７の熱膨張による伸びが吸収されて、排水樋３に曲がりや捻れなどの変形を生ずることが防止される。
【００２０】殊に、上流側の樋ユニット７を重ね合わす下流側の樋ユニット７の端部に水止め用の樋エンド１１を設け、該樋エンド１１で上流側の樋ユニット７を受け止めて、該樋ユニット７の外面１０と下流側の樋ユニット７の内面９との間に隙間を生じさせるようにすれば、両樋ユニット７、７が互いに重なり合う部分における摩擦抵抗が著しく低減されるので、樋ユニット７の熱膨張による伸びを円滑に吸収して、排水樋３に曲がりや捻じれ等の変形が生ずることを確実に防止することができる。
【００２１】また、樋受８が、樋ユニット７の中間部を成す樋継手１３の部分だけを固定した状態に支持し、半丸樋１２の部分をその長さ方向にスライド可能に支持する形状に成形されていれば、該樋受８で樋ユニット７を複数箇所支持しても、樋ユニット７に熱膨張による変形を生ずるおそれはないので、各樋ユニット７を夫々複数の樋受８で確りと支持することができる。
【００２２】また、樋エンド１１は、下流側の樋ユニット７の上に上流側の樋ユニット７を載せるだけで、両樋ユニット７、７間に一定の隙間を生じさせることができるので、多数の樋ユニット７、７…を連ねて長大な排水樋３を設置する際に、互いに隣接する上流側の樋ユニット７と下流側の樋ユニット７とを隙間をあけて重ね合わせるように樋受８で支持する作業が極めて容易であり、その作業能率が非常に良い。
【００２３】なお、樋エンド１１は、樋ユニット７を形成する半丸樋１２の端部に円弧形キャップを嵌着して成るものであるが、これに限らず、半丸樋１２を製造する際にその端部に一体成形されたものであってもよい。
【００２４】また、下流側の樋ユニット７の上に重ね合わす上流側の樋ユニット７を樋エンド１１で受け止めて両樋ユニット７、７間に隙間を生じさせる場合に限らず、例えば、図２の如く下流側の樋ユニット７の半丸樋１２を長さ方向にスライド自在に支持する樋受８が、その上端部によって上流側の樋ユニット７の半丸樋１２を受け止めることができるような形状に成形されている場合でもよい。
【００２５】また、樋ユニット７は、二本の半丸樋１２とこれを継ぎ合わせる樋継手１３とで形成されているが、本発明に係る樋ユニットは、これに限らず、一本の半丸樋で成るものであってもよく、また、半丸樋で成るものに限らず、角樋で成るものであってもよい。
【００２６】
【発明の効果】
本発明によれば、高設栽培装置の栽培槽から排出される余剰の水分や栽培養液を回収する排水樋が熱膨張によって曲がりや捻じれ等の変形を生ずることを確実に防止することができるという優れた効果を有する。
【図面の簡単な説明】
【図１】本発明に係る排水設備の一例を示す斜視図
【図２】上流側の樋ユニットと下流側の樋ユニットとの重ね合わせ部分を拡大して示す斜視図
【図３】樋ユニットを形成する半丸樋を樋継手で二本継ぎ合わせた部分を拡大して示す斜視図
【符号の説明】
１………………栽培槽
２………………架台
３………………排水樋
７………………樋ユニット
８………………樋受
１１………………樋エンド
１２………………半丸樋
【図１】
0003940603.tif 000002
【図２】
0003940603.tif 000003
【図３】
0003940603.tif 000004